(57)【要約】【課題】配線器具の取り付けに使用するビスが長すぎることを初心作業者等に認識させ注意を喚起し、ビスの先端で配線器具取付体の内部のケーブルが傷付くのを防止する。【解決手段】配線器具を取付けるためのビス５１が螺入される取着フランジ２４のビス孔２５を備えたボックスカバー２１に、規制体３１を取着した。規制体３１は、取着部３２と、ビス５１の螺進方向先に配置されてビス５１の螺進予定空間２０内にケーブル６１が侵入してビス５１の軸部と摺接するのを防止する摺接防止部３４と、ビス孔２５に螺入されるビス５１の螺進方向先に配置されて、ビス孔２５を超えて螺進するビス５１の先端に当接してそれ以上の螺進を規制する規制部３３と、を備えた。【選択図】図７
2019058064.tif 000002
【特許請求の範囲】
【請求項１】
配線器具を取付けるためのビスが螺入される螺入部を有する器具取付部を備えた配線器具取付体と、
前記配線器具取付体に取着される取着部と、前記螺入部に螺入される前記ビスの螺進方向先に配置されて、前記螺入部を超えて螺進する前記ビスの先端に当接してそれ以上の螺進を規制する規制部と、を有する規制体と、
からなることを特徴とする配線器具取付体装置。
【請求項２】
前記規制体の取着部は、前記配線器具取付体の器具取付部に取着されたことを特徴とする請求項１に記載の配線器具取付体装置。
【請求項３】
前記規制体の取着部は、前記配線器具取付体の器具取付部におけるビス螺進方向側の面とビス螺退方向側の面とにそれぞれ当接する当接面を有することを特徴とする請求項２に記載の配線器具取付体装置。
【請求項４】
前記規制体の取着部は、前記配線器具取付体の器具取付部に対してビス螺進軸と直交する方向から取着されることを特徴とする請求項２または請求項３に記載の配線器具取付体装置。
【請求項５】
前記配線器具取付体は、底壁と該底壁から立設する周壁とを備えて有底箱状に形成され、  前記器具取付部は、前記周壁の前記底壁から離間した位置に設けられ、
前記規制体の規制部は、前記器具取付部と前記底壁との間であって、前記底壁との間に配線材が配線可能な隙間を空けて配置されていることを特徴とする請求項１乃至請求項４のいずれかに記載の配線器具取付体装置。
【請求項６】
前記規制体の取着部と規制部とを連接する連接部は、前記配線器具取付体の螺入部に螺入されるビスの軸部と前記配線器具取付体内に配置される配線材との摺接を防止すべく該ビスの軸部を取り囲む形状をなしていることを特徴とする請求項１乃至請求項５のいずれかに記載の配線器具取付体装置。
【請求項７】
配線器具を取付けるためのビスが螺入される螺入部を有する器具取付部を備えた配線器具取付体と、
前記配線器具取付体に取着される取着部と、前記螺入部に螺入される前記ビスの螺進方向先に配置されて、前記ビスの螺進予定空間内に配線材が侵入して該ビスの軸部と摺接するのを防止する摺接防止部と、前記配線材の配線空間を確保すべく前記ビスの螺進を規制する規制部と、を有して、前記配線材と前記ビスとの干渉を防止する干渉防止体と、
からなることを特徴とする配線器具取付体装置。
【請求項８】
前記規制体は、前記ビスの螺進を阻止する剛性を有することを特徴とする請求項１乃至請求項７のいずれかに記載の配線器具取付体装置。
【請求項９】
配線器具を取り付けるためのビスが螺入される螺入部を有する器具取付部を備えた配線器具取付体に取着される取着部と、
前記螺入部に螺入される前記ビスの螺進方向先に配置されて、前記螺入部を越えて螺進する前記ビスの先端に当接してそれ以上の螺進を規制する規制部と、
を有する規制体であって、
全体に剛性を有し、前記規制部の前記取着部に対する相対位置が変位することなく前記ビスの螺進を阻止することを特徴とする規制体。
【請求項１０】
配線器具を取り付けるためのビスが螺入される螺入部を有する器具取付部を備えた配線器具取付体に取着される取着部と、
前記螺入部に螺入される前記ビスの螺進方向先に配置されて、前記ビスの螺進予定空間内に配線材が侵入して該ビスの軸部と摺接するのを防止する摺接防止部と、
前記配線材の配線空間を確保すべく前記ビスの螺進を規制する規制部と、
を有し、前記配線材と前記ビスとの干渉を防止するよう形成されたことを特徴とする配線材とビスとの干渉防止体。
【発明の詳細な説明】
【技術分野】
【０００１】
本発明は、配線器具が取り付けられる配線器具取付体の器具取付部の螺入部に螺入されるビスが配線器具取付体の内部で所定以上に螺進するのを規制する配線器具取付体装置、規制体、及び配線材とビスとの干渉防止体に関するものである。
【背景技術】
【０００２】
スイッチやコンセント等の配線器具を建物の壁裏に配設された配線ボックスやボックスカバー等の配線器具取付体に取り付けるときには、特許文献１等にも記載されているように、ビスが使用されており、配線器具は、取付孔に挿通されたビスが壁表側から壁穴内を通して壁裏の配線器具取付体の器具取付部の螺入部に螺着されることにより取り付けられている。
【先行技術文献】
【特許文献】
【０００３】
【特許文献１】特開２０１０−２８８４０１号公報
【発明の概要】
【発明が解決しようとする課題】
【０００４】
ところが、配線器具の取り付けに使用されるビスの長さは、建物の壁厚によって異なる。また、ビスの長さは、配線器具取付体の内部に引き込まれ収容されているケーブル量によって配線器具取付体の内部空間の大きさもばらつくため、配線器具取付体内でのビスの侵入許容空間の大きさも変わり、それにより、使用できるビスの長さも異なってくる。そして、ビスは壁表側から取り付けられるので、ビスを挿入するときの配線器具取付体内の侵入状況を外部から目視で確認することはできない。このようなことから、ビスの長さの選定を誤って長すぎるものをそのまま使用し、その先端で配線器具取付体内のケーブルを押し潰し傷付けてしまう恐れがある。熟練者であれば、作業経験により壁厚や配線器具取付体内のケーブル量から適する長さのビスを選んで使用することができるが、初心作業者等においては、壁厚が異なる場合などであっても常に同一長さのビスを使用したり、傷付きについての認識が甘かったり、目測を誤ったりするなどして、不注意、不用意に不適切な長さのビスを使用してしまうことがあった。
【０００５】
そこで、本発明は、配線器具の取り付けに使用するビスが長すぎることを初心作業者等に認識させ注意を喚起し、ビスの先端で配線器具取付体の内部のケーブルが傷付くのを防止できる配線器具取付体装置、規制体、及び配線材とビスとの干渉防止体を提供することを課題とするものである。
【課題を解決するための手段】
【０００６】
請求項１の配線器具取付体装置は、配線器具を取付けるためのビスが螺入される螺入部を有する器具取付部を備えた配線器具取付体と、前記配線器具取付体に取着される取着部と、前記螺入部に螺入される前記ビスの螺進方向先に配置されて、前記螺入部を超えて螺進する前記ビスの先端に当接してそれ以上の螺進を規制する規制部と、を有する規制体と、
からなる。
【０００７】
請求項２の配線器具取付体装置は、前記規制体の取着部が、前記配線器具取付体の器具取付部に取着されている。
請求項３の配線器具取付体装置は、前記規制体の取着部が、前記配線器具取付体の器具取付部におけるビス螺進方向側の面とビス螺退方向側の面とにそれぞれ当接する当接面を有する。
請求項４の配線器具取付体装置は、前記規制体の取着部が、前記配線器具取付体の器具取付部に対してビス螺進軸と直交する方向から取着されるものである。
【０００８】
請求項５の配線器具取付体装置は、前記配線器具取付体が、底壁と該底壁から立設する周壁とを備えて有底箱状に形成され、  前記器具取付部は、前記周壁の前記底壁から離間した位置に設けられていて、前記規制体の規制部は、前記器具取付部と前記底壁との間であって、前記底壁との間に配線材が配線可能な隙間を空けて配置されている。
請求項６の配線器具取付体装置は、前記規制体の取着部と規制部とを連接する連接部が、前記配線器具取付体の螺入部に螺入されるビスの軸部と前記配線器具取付体内に配置される配線材との摺接を防止すべく該ビスの軸部を取り囲む形状をなしている。
請求項７の配線器具取付体装置は、配線器具を取付けるためのビスが螺入される螺入部を有する器具取付部を備えた配線器具取付体と、前記配線器具取付体に取着される取着部と、前記螺入部に螺入される前記ビスの螺進方向先に配置されて、前記ビスの螺進予定空間内に配線材が侵入して該ビスの軸部と摺接するのを防止する摺接防止部と、前記配線材の配線空間を確保すべく前記ビスの螺進を規制する規制部と、を有して、前記配線材と前記ビスとの干渉を防止する干渉防止体と、からなる。
【０００９】
請求項８の配線器具取付体装置は、前記規制体が、前記ビスの螺進を阻止する剛性を有している。
【００１０】
請求項９の規制体は、配線器具を取り付けるためのビスが螺入される螺入部を有する器具取付部を備えた配線器具取付体に取着される取着部と、前記螺入部に螺入される前記ビスの螺進方向先に配置されて、前記螺入部を越えて螺進する前記ビスの先端に当接してそれ以上の螺進を規制する規制部と、を有するものであって、全体に剛性を有し、前記規制部の前記取着部に対する相対位置が変位することなく前記ビスの螺進を阻止する。
【００１１】
請求項１０の干渉防止体は、配線器具を取り付けるためのビスが螺入される螺入部を有する器具取付部を備えた配線器具取付体に取着される取着部と、前記螺入部に螺入される前記ビスの螺進方向先に配置されて、前記ビスの螺進予定空間内に配線材が侵入して該ビスの軸部と摺接するのを防止する摺接防止部と、前記配線材の配線空間を確保すべく前記ビスの螺進を規制する規制部と、を有し、前記配線材と前記ビスとの干渉を防止するよう形成されている。
【発明の効果】
【００１２】
請求項１、５の発明は、螺入部に螺入されるビスの螺進方向先に配置された規制部が、配線器具取付体の内部を螺進するビスの先端に当接してこれがそれ以上に螺進するのを規制するので、初心作業者等が傷付きについての認識不足や不注意などから誤って長すぎるビスを使用することにより、所定長さ以上にビスが螺進して配線器具取付体内の配線材が傷付いてしまうのを防止することができる。
また、長すぎたときは、ビスの先端が規制部に当接するので、初心作業者等にビスが長すぎて適しないものであったことを認識させ、注意を喚起させることができる。
【００１３】
請求項２の発明は、規制体の取着部が配線器具取付体の器具取付部に取着されているので、ビスが螺入される箇所を利用して規制体を取着することができる。これにより、規制体を配線器具取付体内にコンパクトに取着でき、規制体が配線器具取付体内で突出して内部空間を狭めるのを防ぐことができる。
請求項３の発明は、規制体の取着部が、配線器具取付体の器具取付部におけるビス螺進方向側の面とビス螺退方向側の面とにそれぞれ当接する当接面を有するので、器具取付部に向けて押し込むだけで規制体を簡単に配線器具取付体に取着できる。
【００１４】
請求項４の発明は、規制体の取着部が、ビスの螺進方向と異なる方向から器具取付部に取着されるので、ビスの螺進に伴って規制体が外れ易くなったり外れてしまうのを防止できる。
【００１５】
請求項６、７の発明は、特に、ビスの螺進予定空間内に配線材が侵入するのを防止する摺接防止部を備えているので、ビスの螺進予定空間内に配線材が侵入してビスの軸部と干渉し擦れて傷付くのを防止することもできる。
【００１６】
請求項１０の発明は、請求項１、５と同様の効果を奏する。
【図面の簡単な説明】
【００１７】
【図１】本発明の実施形態の配線器具取付体装置の斜視図である。
【図２】図１の配線器具取付体装置を示し、(a)は平面図、(b)は(a)のＡ−Ａ切断線による断面図、(c)は(b)の要部拡大図、(d)は(a)のＢ−Ｂ切断線による断面図である。
【図３】(a)は図１の規制体を取り付ける方向を示す分解斜視図、(b)は規制体を取り付け後の状態を示す要部斜視図である。
【図４】図１の配線器具取付体の断面図である。
【図５】図１の規制体を示し、(a)は前面側から見た斜視図、(b)は裏面側から見た斜視図、(c)は平面図、(d)は(e)のＣ−Ｃ切断線による断面図、(e)は正面図、(f)は右側面図である。
【図６】図１の規制体の取着部を説明する要部正面図である。
【図７】図１の配線器具取付体装置に配線器具を取り付けた状態を示す断面図である。
【図８】図１の配線器具取付体装置の規制部の変形例を示す断面図である。
【図９】図１の規制体の変形例を示し、(a)は斜視図、(b)、(c)は正面図である。
【発明を実施するための形態】
【００１８】
以下、本発明の実施形態の配線器具取付体装置を図に基づいて説明する。
図１乃至図６において、配線器具取付体装置１は、建物の間仕切り壁等の壁面の裏側に配設され、壁穴に臨む前面側には、スイッチ、コンセント等の配線器具を壁面の表側に取り付けるためのビス５１が取着される。配線器具取付体装置１は、配線器具取付体と、これに取着される規制体３１とで構成されている。ここで、配線器具取付体としては、配線ボックス１１やこれにボックスカバー２１が取り付けられたものなどが挙げられる。本実施形態では、配線器具取付体として、配線ボックス１１にボックスカバー２１が取り付けられたものを例示する。また、本実施形態で述べる配線材としてケーブル６１を例示する。なお、ここでは、スイッチ、コンセント等が取り付けられた配線器具取付枠６２も配線器具に含めて説明する。以下、各構成部材について詳細に説明する。
【００１９】
配線器具取付体を構成する配線ボックス１１は、底壁１２と底壁１２から立設する周壁１３とを有し、底壁１２と対向して開口する有底箱状に形成されている。配線ボックス１１は、間仕切り柱に固定された取付金具を介して間仕切り壁の裏側に使用されたり、コンクリートに埋設されて使用される。底壁１２の中心に設けられたボルト孔１４は、コンクリート打設時にボルトを取着して型枠に取り付けるために用いられるが、配線ボックス１１を間仕切り壁に配設する場合は不要である。底壁１２及び周壁１３には、必要に応じてケーブル６１を挿通するために打ち抜かれるノックアウト１５が設けられている。更に、配線ボックス１１の開口１６の周縁１６ａには、開口１６の前面にボックスカバー２１を取り付けるための取付フランジ１７が上下に一対設けられ、各取付フランジ１７の中央にはビス孔１８が設けられている。配線ボックス１１は、合成樹脂材または金属板で形成されている。
【００２０】
また、配線器具取付体を構成するボックスカバー２１は、四角枠状に形成され、中央部は、一定高さで一面側に台状に膨出し、膨出した台状の部分のほぼ全体が開口する開口部２２に形成されている。開口部２２からは配線ボックス１１の開口１６の一部が露出している。開口部２２は略小判形状に形成され、その周縁は、上下部分が円弧状に外側に湾曲し、左右両側部分は平行する直線状に形成されている。ボックスカバー２１の開口部２２の外側周辺の平面部の四隅には、配線ボックス１１のビス孔１８と対応する位置に、円弧状の長孔２３が周方向に形成され、長孔２３の一端部はビス５１を挿通可能な挿通孔に形成されている。更に、図２及び図３等に示すように、開口部２２の上下周縁の中央部分には、開口平面方向に突出する取着フランジ２４が対向して上下に一対設けられ、各取着フランジ２４の中央には、ビス５１が螺入されるビス孔２５が設けられている。取着フランジ２４は器具取付部を構成し、ビス孔２５は配線器具を取り付けるためのビス５１が螺入される螺入部を構成している。ボックスカバー２１は、合成樹脂材または金属板で形成されている。
【００２１】
次に、本発明の特徴である規制体３１は、図５に示すように、合成樹脂により全体が正面視略Ｔ字状に形成され、垂直部分は円筒状を成し、内部にビス５１の軸部が挿通されるビス挿通空間３４ａが形成されている。規制体３１は、ボックスカバー２１に取着される取着部３２と、配線ボックス１１内のケーブル６１の配線空間１９を確保するためにビス５１の螺進を規制する規制部３３と、ボックスカバー２１の螺入部に螺入されるビス５１の螺進方向先に配置されて、ビス５１の螺進予定空間２０内にケーブル６１が侵入するのを防止する摺接防止部３４と、を有している。ここで、規制体３１について、正面とは、ボックスカバー２１の開口部２２内から見える面をいう。また、ビス５１の螺進方向とは、図７で示せば、ビス５１の矢印方向であり、後述の螺退方向とは、その逆の方向である。
【００２２】
まず、規制体３１の取着部３２は、ボックスカバー２１の器具取付部である取着フランジ２４に取着される部分であって、Ｔ字状の水平部に形成されており、水平方向に延びる表側当接部３５と裏側当接部３６との上下２段の当接部で形成されている。表側当接部３５は規制体３１がボックスカバー２１に取着されたときにボックスカバー２１の取着フランジ２４の外面側に位置し、裏側当接部３６は取着フランジ２４の内面側に位置するとともに、表側当接部３５及び裏側当接部３６はそれぞれ中央に間隙３７をおいて左右に一対設けられている。これら左右一対の当接部間の中央の間隙３７はビス５１の軸部が上下に貫通する空間となっている。表側当接部３５と裏側当接部３６との上下間に形成されている溝部３８は、ボックスカバー２１の器具取付部の取着フランジ２４が圧入される空間となっており、表側当接部３５と裏側当接部３６とで取着フランジ２４が挟持されるようになっている。なお、両当接部は、取着フランジ２４に対する挟持力を更に高めるため、当接面に弾性的に挟圧される半球状等の小突起を一体に設けてもよい。
【００２３】
更に、取着部３２の表側当接部３５は、ボックスカバー２１の取着フランジ２４におけるビス５１の螺退方向側の面すなわち図３(a)及び(b)における取着フランジ２４の上側の表面と当接する当接面３５ａを有している。また、表側当接部３６は、取着フランジ２４におけるビス５１螺進方向側の面すなわち図３における取着フランジ２４の下側の裏面と当接する当接面３６ａを有している。
【００２４】
このうち、表側当接部３５は、図６(a)に示すように、ボックスカバー２１の開口部２２の端縁２２ａを延長する二点鎖線で示す仮想線２６すなわち取着フランジ２４の基端部を横切ってそのまま円弧に沿って描かれる線より外側に突出しないように形成されている。表側当接部３５の一部が、図６(b)の斜線部分で示すように、仮想線２６より外側にはみ出していると、ボックスカバー２１の開口部２２が嵌入する壁穴を表側当接部３５のはみ出し分だけ大きくしなければならず、これにより後述する不具合を生じる恐れがあるからである。
【００２５】
このように形成された取着部３２は、ボックスカバー２１のビス孔２５が表側当接部３５及び裏側当接部３６における間隙３７を通して表側に臨むので、ボックスカバー２１の表側からビス５１を間隙３７内に挿入してビス孔２５に挿入し、螺着することができる。なお、ビス５１は、ビス孔２５に螺刻しながら強制的に螺入されるタッピングビスや、ナットを使用して取着するものなどを用いることができる。
【００２６】
更に、取着部３２は、図３(a)の矢印で示すように、ボックスカバー２１の器具取付部に対してビス５１の螺進軸と直交する方向から取り付けられるようになっており、図３(a)において水平方向から取着部３２の溝部３８内に取着フランジ２４を嵌入させて表側当接部３５と裏側当接部３６とで挟持することによりボックスカバー２１に取り付けられる。
【００２７】
一方、規制体３１の規制部３３は、Ｔ字状の円筒状の垂直部分の先端部に設けられており、ビス挿通空間３４ａの先端部は平面状の底面を有する底部３９で閉塞されている。これにより、ボックスカバー２１の螺入部を超えて配線ボックス１１内に螺進してきたビス５１の先端は規制部３３の底面に当接してそれ以上に螺進するのが規制される。なお、底部３９の底面は、平面状でなくてもよく、窪み面等に形成してもよい。規制部３３は、この先端部と配線ボックス１１の底壁１２との間にケーブル６１を配線可能な隙間すなわち配線空間１９が設けられるように、取着部３２から離間する距離が設定されている。なお、規制部３３の先端の底部３９は、外面が半球面状をなしており、配線ボックス１１内のケーブル６１が接触により傷付くのが防止される。
【００２８】
次に、規制体３１の摺接防止部３４は、取着部３２と規制部３３とを連接する連接部４０に形成されており、ボックスカバー２１の螺入部に螺入されるビス５１の螺進方向先に配置されている。摺接防止部３４は、連接部４０内に螺進したビス５１の軸部を取り囲む円筒形状に形成されており、これにより、連接部４０のビス５１の螺進方向先である螺進予定空間２０内にケーブル６１が侵入してビス５１の軸部と摺接し擦られて傷付くのが防止される。なお、円筒形状の連接部４０の側面には、樹脂成形上の点から肉盗み空間が形成されている。
このように形成された規制体３１の規制部３３及び摺接防止部３４は、ケーブル６１との干渉を防止してケーブル６１が傷付くのを防止する干渉防止体を構成している。
【００２９】
次に、上記のように構成された配線器具取付体への配線器具の取り付けについて説明する。
予め、配線ボックス１１の開口側にボックスカバー２１を当接し、ボックスカバー２１の長孔２３にビス５１を挿通して取付フランジ１７のビス孔２５に螺着することにより、配線ボックス１１とボックスカバー２１とを一体に組み付けておく。そこで、図示しないが、建物の間仕切り柱に固定された取付金具に配線ボックス１１を固定し、間仕切り壁７１を立設して、配線ボックス１１及びボックスカバー２１を壁裏に配設する。
【００３０】
次に、壁裏に配線されたケーブル６１を配線ボックス１１のノックアウト１５を打ち抜いた透孔から配線ボックス１１内に引き込み、間仕切り壁７１の壁穴７２を通して壁表側で配線器具取付枠６２に組み付けられたスイッチ６３の端子に結線する。そして、ボックスカバー２１の器具取付部に規制体３１を取り付ける。このとき、規制体３１の取着部３２は、ボックスカバー２１の取着フランジ２４の表側面及び裏側面とそれぞれ当接する表側当接部３５及び裏側当接部３６を有するので、器具取付部に向けて押し込み、取着フランジ２４を規制部３３の溝部３８に嵌め込んで、規制体３１を簡単に配線器具取付体に取り付けることができる。次いで、図７に示すように、壁表側から配線器具取付枠６２の上下端部に設けられた一対の挿通孔にビス５１を挿通させ、ボックスカバー２１の上下一対の取着フランジ２４，２４のビス孔２５，２５に螺入する。これにより、配線器具取付体への配線器具の取り付けが完了する。
【００３１】
配線器具が取り付けられた状態においては、規制体３１の規制部３３の底部３９と配線ボックス１１の底壁１２との間に、ケーブル６１の配線空間１９が形成されている。なお、図７に示すビス５１は適切な長さのものであるが、ビス５１の選定を誤って長すぎるものを使用したときは、ビス５１の先端は規制体３１の規制部３３の底部３９の底面と当接し、それ以上にビス５１が螺進するのが阻止される。このときは、それ以上にビス５１をねじ込めないし、ビス５１の頭部は壁面から前方に飛び出して隙間を生じ、配線器具取付枠６２はがさつく状態になるから、作業者は容易に取着状態の異常に気付くことができる。このようにビス５１が長すぎた場合は、これを取り外して別のビス５１と交換して取り付ける。
【００３２】
次に、配線器具取付体装置１の作用を説明する。
規制体３１は、規制部３３が、配線器具取付体の内部を螺進するビス５１の先端が当接してこれがそれ以上に螺進するのを規制するので、初心作業者等が、壁厚が異なる場合などであっても常に同一長さのビスを使用したり、傷付きについての認識が不足していたり、不注意であったりして、誤って長すぎるビス５１を使用したとしても、所定長さ以上にビス５１が螺進して先端部が配線ボックス１１内のケーブル６１と接触してこれを傷付けてしまうのを防止することができる。
また、長すぎたときは、ビス５１の先端が規制部３３に当接してそれ以上にビス５１を螺進させることができないので、初心作業者等はビス５１が長すぎて適しないものであったことを認識するとともに、初心作業者等に注意を喚起させることができる。
【００３３】
更に、規制体３１の取着部３２は配線器具取付体のビス５１が螺入される取着フランジ２４に取着されるので、ビス５１が螺入される箇所を利用して規制体３１を取着することができる。これにより、規制体３１を配線器具取付体内にコンパクトに取着でき、規制体３１が配線ボックス１１内で単独で突出して内部空間が狭まるのを防止できる。
【００３４】
そして、規制体３１の取着部３２は、ビス５１の螺進方向と異なる方向から器具取付部である取着フランジ２４に取着されるので、ビス５１の螺進に伴って規制体３１が外れ易くなったり外れてしまうのを防止することができる。
【００３５】
更には、規制体３１の取着部３２の当接部は、ボックスカバー２１の開口部２２の端縁２２ａを延長する仮想線２６より外側に突出しない。このため、仮に、規制体３１の取着部３２の当接部の一部が図６(b)に示すような仮想線２６より外側に突出してはみだすものであるときは、壁穴７２も規制体３１の当接部と干渉するのを避けるために大きくする必要があり、また、それにより、配線器具を覆う化粧カバーも大きくしなければならないし、壁穴７２が化粧カバーより大き過ぎた場合には壁穴７２内に隙間を生じて見栄えが低下してしまうことになるが、本実施形態の規制体３１はそのような不具合を生じない。
【００３６】
加えて、ビス５１の螺進予定空間２０内に配線材が侵入するのを防止する摺接防止部３４を備えているので、ビス５１の螺進予定空間２０内に配線材が侵入してビス５１の軸部と干渉し擦れて傷付くのを防止することもできる。
【００３７】
ところで、上記実施形態では、配線器具取付体は、配線ボックス１１にボックスカバー２１が取り付けられたものを例示しているが、本発明は、配線器具取付体が配線ボックス１１である場合も同様に適用される。この場合、配線ボックス１１の周壁１３における底壁１２から離間した位置に配線器具取付枠６２を取り付けるためのビス孔２５が設けられており、規制体３１は、このビス孔２５が設けられた器具取付部に取着される。
【００３８】
また、上記実施形態では、規制体３１は、ボックスカバー２１或いは配線ボックス１１の器具取付部に別体として取着されているが、規制体３１の規制部３３をボックスカバー２１或いは配線ボックス１１に一体に設けたものとすることもできる。例えば、図８(a)に示すものは、ボックスカバー２１の開口部２２の端縁２２ａの一部を開口部２２の奥側にプレス加工により折り曲げ、更に、開口部２２と平行する方向に折り曲げて、この先端の折曲部４１を規制部３３としている。ボックスカバー２１のビス孔２５を挿通したビス５１は、長すぎるときには、この折曲部４１に当接してそれ以上に螺進するのが防止される。或いは、図８(b)に示すものは、配線ボックス１１の周壁１３の一部に内部側に突出する突出片４２が金属板の溶接や樹脂成形、係合などによって一体に形成されており、この突出片４２を規制部３３としている。このように、規制部３３をボックスカバー２１や配線ボックス１１に一体に設けた場合には、規制体３１を別途に用意する必要がないため、部品コストを削減でき、部品管理が不要となり、規制体３１を配線器具取付体に取着する手間を省くこともできる。
【００３９】
加えて、上記実施形態の規制体３１の取着部３２と規制部３３との連接部４０に形成された摺接防止部３４は、筒状に形成されているが、ビス５１の軸部と配線器具取付体内に配置される配線材との摺接を防止できれば、軸部を筒状に囲うものでなくてもよく、板状としてビス５１の両側に配置したものとしてもよい。
更には、上記実施形態では、規制体３１は摺接防止部３４を備えているが、本発明を実施する場合は、図９に示すように、摺接防止部３４を備えていないものとしてもよい。
【００４０】
そして、上記実施形態の規制体３１は、器具取付部に取着されているが、これ以外の箇所に取着されるものとしてもよい。例えば、配線ボックス１１あるいはボックスカバー２１の開口部２２の隅部に取着するものとしてもよく、この場合は、規制体３１の取着部３２はビス５１の螺入部から離間した箇所に位置することになるので、例えば、図９(c)に示すように、規制部３３はビス５１の螺進予定空間２０である軸部の直下まで配線ボックス１１の底壁１２と平行方向に延びた形状に形成される。
【００４１】
加えて、上記実施形態では、ボックスカバー２１は開口部２２に配線器具取付枠６２が１個取り付けられたものを示しているが、開口部２２に複数個の配線器具取付枠６２が例えば２ヶ口用などとして左右に並列して取り付けられたものにも適用できることは言うまでもない。なお、このようなボックスカバー２１において、開口部２２の周縁には、ボックスカバー２１を配線ボックス１１に取り付け固定するための取付孔に近接して配線器具を取着するためのビス孔２５が設けられていることがあり、その場合は、規制体３１は、取着部３２に、ボックスカバー２１を取り付けるための取付孔に挿通されるビス５１と干渉しないよう逃がしの切欠空間や逃がし孔が形成されたものとなる。
【００４２】
更に、規制体３１は、表側当接部３５と裏側当接部３６との間の溝部３８に配線器具取付体の器具取付部の取着フランジ２４を嵌め込んで挟持し取着するものとしているが、係合などの別の手段によって取着してもよい。
【００４３】
加えて、規制体３１は、合成樹脂により全体が剛性を有するものであってもよく、可撓性、柔軟性を有するものであってもよい。また、他の材質で形成してもよい。
【００４４】
なお、前述した、配線器具取付体への配線器具の取り付けにおいて、規制体３１は、間仕切り壁７１に壁穴７２を設けてからボックスカバー２１の器具取付部に取り付けているが、先に規制体３１をボックスカバー２１に取り付けた状態でこれらを壁裏に設置してから壁穴７２を設けてもよい。この場合は、ボックスカバー２１への規制体３１の付け忘れを防止できる。なお、規制体３１はボックスカバー２１とは別体であるから、ケーブル６１の引き込み、結線時に、規制体３１が作業の邪魔になるのであれば、一旦規制体３１を取り外し、ケーブル６１の引き込み、結線後に再度取着することもできる。
【００４５】
また、上記実施形態において、規制体３１は、ボックスカバー２１等の一対の器具取付部の両方に取り付けているが、一般的に対となる器具取付部は同じ長さのビス５１が使用されるため、一対の器具取付部のうちの一方のみ、あるいは器具取付部が複数対ある場合はそのうちのいずれかまたは一箇所に、規制体３１を取着しておくだけでも、初心作業者等に注意を喚起することができる。但し、規制体３１が取着されていない器具取付部に先にビス５１が取着されることもあり得るので、規制体３１は全ての器具取付部に取り付けるのが望ましい。
【００４６】
更に、上記実施形態では、規制体３１は、間仕切り壁７１やコンクリート壁の裏側に配設された配線ボックス１１やボックスカバー２１に取着されたものを示しているが、本発明は、内部に配線材が引き込まれたダクトに取り付けられるコンセント取付具、スイッチ取付具などにも適用することができる。
【符号の説明】
【００４７】
１  配線器具取付体装置                ３２  取着部
１１  配線ボックス（配線器具取付体）    ３３  規制部
１２  底壁                              ３４  摺接防止部
１３  周壁                              ３５  表側当接部
１６  開口                              ３５ａ、３６ａ  当接面
１９  配線空間                          ３６  裏側当接部
２０  螺進予定空間                      ４０  連接部
２１  ボックスカバー（配線器具取付体）  ４１  折曲部（規制部）
２２  開口部                            ４２  突出片（規制部）
２２ａ  端縁                            ５１  ビス
２４  取着フランジ（器具取付部）        ６１  ケーブル（配線材）
２５  ビス孔（螺入部）                  ６２  配線器具取付枠（配線器具）
２６  仮想線                            ６３  スイッチ（配線器具）
３１  規制体                                                                  
【図１】
2019058064.tif 000003
【図２】
2019058064.tif 000004
【図３】
2019058064.tif 000005
【図４】
2019058064.tif 000006
【図５】
2019058064.tif 000007
【図６】
2019058064.tif 000008
【図７】
2019058064.tif 000009
【図８】
2019058064.tif 000010
【図９】
2019058064.tif 000011